(57)【要約】【課題】  本発明は、プリーツ状のフィルタをフィルタ枠なしに空気通路に着脱自在に配置でき、且つ通気抵抗を低下させた省エネの内外気送風ユニットを提案することを目的とする。【解決手段】  本発明の内外気送風ユニットでは、空気通路１３にプリーツ状のフィルタ１４を着脱自在に配置し、フィルタのフィルタ側端部２１ｂに略当接する空気通路の内壁にフィルタ挿入口１５を設け、フィルタの折曲両側端部２２ａ、２２ｂに略当接する空気通路の内壁に折曲両側端部をフィルタの着脱に伴って抜き挿し自在に固定する係止手段２６ａ、２６ｂを設けたことを特徴とする。【選択図】  図１ 
2005088805.tif 000002
【特許請求の範囲】
【請求項１】
空気吸気口から浄化空気吐出口に向かって空気流れを形成する空気通路に、プリーツ状に加工したフィルタをフィルタ面が前記空気流れを受け止める向きで着脱自在に配置した空調装置の内外気送風ユニットにおいて、
前記フィルタの折目方向のフィルタ側端部に略当接する前記空気通路の内壁にフィルタ挿入口を設け、
前記フィルタの折曲両側端部に略当接する前記空気通路の内壁に前記折曲両側端部を前記フィルタの着脱に伴って抜き挿し自在に固定する係止手段を設けたことを特徴とする内外気送風ユニット。
【請求項２】
前記折曲両側端部は、前記フィルタを折り畳んだ状態で固定した肉厚部であることを特徴とする請求項１に記載の内外気送風ユニット。
【請求項３】
前記係止手段は、前記折曲両側端部に略当接する前記空気通路の内壁に設けた前記折曲両側端部と噛み合うツメと、
前記内壁上で前記ツメと対向し前記フィルタの折目に略当接する位置に設けた前記フィルタを押さえる保持部とを、備えることを特徴とする請求項１または２に記載の内外気送風ユニット。
【請求項４】
前記フィルタの折目方向のフィルタ両側端部に略当接する前記空気通路の内壁に、前記フィルタの抜き挿し時にフィルタ面を案内する凸起部を設けたことを特徴とする請求項１、２または３に記載の内外気送風ユニット。
【請求項５】
前記フィルタをプリーツ状に加工した集塵フィルタと該集塵フィルタと略同じプリーツ間隔に加工され且つ光触媒を担持した脱臭フィルタとを重ね合わせたものとし、且つ前記空気通路に前記脱臭フィルタに向かって前記光触媒を活性させる光を照射する光触媒光源を配置したことを特徴とする請求項１、２、３または４に記載の内外気送風ユニット。
【発明の詳細な説明】
【技術分野】
【０００１】
本発明は、フィルタを搭載した空調装置の内外気送風ユニットに関する。特に、別体のフィルタ枠を伴わずにフィルタを係止する内外気送風ユニットに関する。
【背景技術】
【０００２】
従来、車両用や室内用に用いられる空調装置には、外気の集塵や脱臭を行うためのフィルタが搭載されている。このフィルタは、空気の清浄効率を上げるためプリーツ状に折り畳まれている。このフィルタは、フィルタの折目方向には曲げに対する剛性が高いが折曲方向には変形し易いため、フィルタとフィルタを固定するためのフィルタ枠とで一体化され、空調装置に搭載されていることが多い。そのため、フィルタ交換時にはフィルタ枠ごと交換しコストがかかる。そこで、フィルタをフィルタ枠から着脱自在にしたフィルタユニットが提案されている（例えば、特許文献１参照。）。
【０００３】
ここで、特許文献１に係る発明について説明する。この発明は、車両用空調装置の内外気送風ユニットにおいて、この内外気送風ユニット内に空気中の塵や埃、花粉等を取り除くフィルタユニットが内蔵されているものである。具体的には、プリーツ状に加工されたフィルタとフィルタを保持するフィルタ枠からなるフィルタユニットを空調装置に着脱自在に配置している。このとき、フィルタの外縁の全周は押しつぶして固められて成形されている。フィルタの保持は、フィルタ枠の底部に設けられた格子部を土台とし、この上にフィルタを載せることで保持する。そのため、フィルタユニットを空調装置内に配置したときに、空調装置内の空気流れによってフィルタがフィルタ枠からずれない構造となっており、フィルタのみの交換が可能となる。また、フィルタ枠とフィルタのプリーツ折目との間に外部から混入する異物を収納させ、異物を停留させる効果も得ることができる。
【特許文献１】特開平１１−１７０８４０号公報
【発明の開示】
【発明が解決しようとする課題】
【０００４】
しかし、上記発明では、フィルタの周囲が押し固められているために、大きさを保ったまま全く変形せず、多くのフィルタを運送するときに嵩張ってしまう。また、フィルタを保持するフィルタ枠を必要とする。さらにフィルタ枠の底部に設けられた格子部がフィルタから流れ出る空気流れに対する抵抗となってしまう。
【０００５】
そこで、本発明では、フィルタ運送時にはフィルタ使用時に比して、嵩が極めて小さくすることができるプリーツ状に加工しただけのフィルタを使用できる内外気送風ユニットを提案することを目的とする。このとき、空調装置へのフィルタ装着時には、フィルタ枠を必要とせずにプリーツ状に加工したのみのフィルタを容易に着脱できる内外気送風ユニットを提案することを目的とする。また、フィルタ枠を必要としないため、通気抵抗を低下でき省エネとなる内外気送風ユニットを提案することを目的とする。さらに、空気流れの風圧による前記フィルタの変形を防止し、且つフィルタと空気通路の内壁との隙間での、空気流れの漏れを少なくすることができる内外気送風ユニットを提案することを目的とする。
【課題を解決するための手段】
【０００６】
上記課題を解決するために、本発明による内外気送風ユニットは、空気吸気口から浄化空気吐出口に向かって空気流れを形成する空気通路に、プリーツ状に加工したフィルタをフィルタ面が前記空気流れを受け止める向きで着脱自在に配置した空調装置の内外気送風ユニットにおいて、前記フィルタの折目方向のフィルタ側端部に略当接する前記空気通路の内壁にフィルタ挿入口を設け、前記フィルタの折曲両側端部に略当接する前記空気通路の内壁に前記折曲両側端部を前記フィルタの着脱に伴って抜き挿し自在に固定する係止手段を設けたことを特徴とする。
【０００７】
上記発明により、フィルタの運送時にはフィルタの使用時に比して、嵩が極めて小さくすることができるプリーツ状に加工したのみのフィルタを使用できる。また、空調装置へのフィルタの装着時には、フィルタを保持するフィルタ枠を必要とせずにフィルタを容易に着脱でき、且つフィルタを必要としないため通気抵抗を低下できる。
【０００８】
前記内外気送風ユニットにおいて、前記折曲両側端部を、前記フィルタを折り畳んだ状態で固定した肉厚部とすることが望ましい。
【０００９】
上記発明により、折曲両側端部を空気通路の内壁に、より強固に固定することができる。
【００１０】
また、前記内外気送風ユニットにおいて、前記係止手段を、前記折曲両側端部に略当接する前記空気通路の内壁に設けた前記折曲両側端部と噛み合うツメと、前記内壁上で前記ツメと対向し前記フィルタの折目に略当接する位置に設けた前記フィルタを押さえる保持部とを、備えることが望ましい。
【００１１】
上記発明は、フィルタを空気通路に抜き挿し自在に固定するための係止手段を提案したものでフィルタ挿入口からフィルタを容易に着脱できる。
【００１２】
また、前記内外気送風ユニットにおいて、前記フィルタの折目方向のフィルタ両側端部に略当接する前記空気通路の内壁に、前記フィルタの抜き挿し時にフィルタ面を案内する凸起部を設けることが望ましい。
【００１３】
上記発明により、空気流れの風圧によるフィルタの変形を防止できる。プリーツ状に加工したのみのフィルタの強度不足を解消させることができる。さらに、フィルタと空気通路の内壁との隙間での、空気流れの漏れを少なくすることができる。
【００１４】
また、前記内外気送風ユニットにおいて、前記フィルタをプリーツ状に加工した集塵フィルタと該集塵フィルタと略同じプリーツ間隔に加工され且つ光触媒を担持した脱臭フィルタとを重ね合わせたものとし、且つ前記空気通路に前記脱臭フィルタに向かって前記光触媒を活性させる光を照射する光触媒光源を配置することが望ましい。
【００１５】
上記発明は、空気通路内の空気の集塵及び脱臭を行うための手段を提案したものである。脱臭フィルタの長寿命化を図ると共に集塵フィルタと脱臭フィルタは別々に交換できるのでそれぞれの交換時期に対応したフィルタ交換が可能となる。
【００１６】
なお、上記各構成は、可能な限り組み合わせることができる。
【発明の効果】
【００１７】
本発明による内外気送風ユニットでは、プリーツ状に折り畳む加工を施したのみのフィルタを使用する。したがって、フィルタ運送時にはフィルタ使用時に比して、嵩が極めて小さくすることができる。空調装置へのフィルタ装着時には、上記フィルタの折曲両側端部を着脱に伴って抜き挿し自在に固定できるため、フィルタ枠を必要とせずにフィルタを容易に着脱できる。さらに本発明による内外気送風ユニットでは、フィルタ枠がないゆえに、通気抵抗を低下させ、省エネとなる。さらに、空気流れの風圧によるフィルタの変形を防止し、且つフィルタと空気通路の内壁との隙間での、空気流れの漏れを少なくすることができる。
【発明を実施するための最良の形態】
【００１８】
以下、図を参照して本発明の実施の形態について具体的に説明するが、これらの記載に限定して解釈されない。
【００１９】
図１は、車両用空調装置のＨＶＡＣユニットの構成の一形態を示す概略図である。ＨＶＡＣユニット１００は、空気吸気口４０及び浄化空気吐出口（不図示）を有し、空気通路１３を形成する本体ケース５１と、空気通路１３への車室内空気または車室外空気の取入れを切り替える回動式のインテークドア４５と、空気通路１３に配置され、空気通路１３に空気流れ６０ａ、６０ｂ、６０ｃ及び６０ｄを形成するファン４３と、空気通路１３に流れる空気を浄化するフィルタ１４と、冷凍サイクルの一部を構成し、空気を冷却するエバポレータ４４と、空気を加熱するヒータコア（不図示）と、冷却空気と加熱空気との混合割合を変えるエアミックスドア（不図示）とを備える。車両用空調装置の一部であるＨＶＡＣユニット１００は、本実施の形態に係る内外気送風ユニットを搭載している。このうち、本実施の形態に係る内外気送風ユニットは、空気吸気口４０及び浄化空気吐出口（不図示）を有する本体ケース５１によって形成される空気通路１３と、空気通路１３に配置されているファン４３及びフィルタ１４とを備える。
【００２０】
本体ケース５１は、本体ケース５１によって囲まれる空間を空気通路１３とする。また、本体ケース５１には、本実施の形態に係る内外気送風ユニットの空気吸気口４０としての車室外空気の取入れる外気導入口４１及び車室内空気を取入れる内気導入口４２を設けている。
【００２１】
インテークドア４５は、外気導入口４１と内気導入口４２との開扉を切り替えることで、車室内空気と車室外空気との取入れを切り替える。
【００２２】
ファン４３は、ブロアモータ４７によって回転し、ファン４３が回転することによって空気通路１３に外気導入口４１または内気導入口４２からの空気流れ６０ａを形成し空気流れ６０ｂとしてファン４３の下流側のフィルタ１４へ空気を送る。さらにエバポレータ４４へ空気流れ６０ｃとして空気を送る。なお、ファン４３としては、遠心式のシロッコファンやターボファンが例示できる。
【００２３】
エバポレータ４４は、空気流れ６０ｃとしてエバポレータ４４の上流側から送られてきた空気を熱交換により冷却する。冷却された空気は、エバポレータ４４を通過して、空気流れ６０ｄとなる。
【００２４】
エバポレータ４４を通過した空気の一部は、不図示のヒータコアに導かれ、加熱される。その後、冷却空気と加熱空気とは、不図示のエアミックスドアによって混合され、温度調節されて不図示のダクトを通って浄化空気吐出口としてのベント吹出し口（不図示）、サイドベント吹出し口（不図示）、ソフトディフージョン吹出し口（不図示）またはフット吹出し口（不図示）から車室内に吐出される。
【００２５】
図１に示すＨＶＡＣユニット１００では、ファン４３と、フィルタ１４と、エバポレータ４４とが、この順に空気通路１３に配置されているが、配置順はこれに限られるものではない。例えば、フィルタ、ファン、エバポレータの順またはフィルタ、エバポレータ、ファンの順に配置してもよい。
【００２６】
本実施の形態に係る内外気送風ユニットのフィルタ１４は、プリーツ状に加工されており、空気通路１３に着脱自在に配置されている。このとき、フィルタ１４のフィルタ面の一方が、空気流れ６０ｂを受け止める向きとなる。
【００２７】
本実施の形態に係る内外気送風ユニットでは、プリーツ状に加工を施したのみのフィルタ１４を使用する。したがって、フィルタ１４を折り畳むことによって極めてフィルタ１４の嵩を小さくすることができ、運送時に嵩張らず多くのフィルタ１４を同時に梱包することができる。
【００２８】
フィルタ１４は、フィルタ１４を通過する空気の集塵を行う集塵フィルタのみから構成してもよいし、集塵を行う集塵フィルタ及び脱臭を行う脱臭フィルタを組み合わせた構成としてもよい。フィルタ１４に集塵機能及び脱臭機能を発揮させるためには、集塵フィルタと脱臭フィルタとを別々の場所に設けてもよいが、フィルタ１４をプリーツ状に加工した集塵フィルタと該集塵フィルタと略同じプリーツ間隔に加工され且つ光触媒を担持した脱臭フィルタとを重ね合わせたものとすることが好ましく、フィルタ１４の設置時での厚さを薄型化し、省スペース化につながる。このとき、空気流れ６０ｂの方向に対して集塵フィルタ２５ａ、脱臭フィルタ２５ｂの順に重ね合わせることが望ましい。この順で集塵フィルタ２５ａと脱臭フィルタ２５ｂとを重ね合わせるのは、フィルタ１４を通過する空気をまず集塵フィルタ２５ａで集塵して、その後脱臭フィルタ２５ｂによって脱臭した方が、塵が含まれた空気を脱臭するのに比べ脱臭効率が良く、脱臭フィルタの寿命をのばせるからである。なお、集塵フィルタ２５ａとしてはパルプからなるろ紙やポリエチレン繊維などの合成繊維で構成される不織布や、ポリプロピレンのような誘電体繊維で構成される不織布を帯電させたものが例示できる。また、集塵フィルタ２５ａ、脱臭フィルタ２５ｂを製造する方法として、例えばプリーツ状に加工した不織布を所定のサイズで切断する方法が例示でき、低コスト化を図ることができる。
【００２９】
集塵フィルタ２５ａと光触媒を担持した脱臭フィルタ２５ｂとを重ね合わせたフィルタ１４は、まず空気流れ６０ｂとして送られた空気の集塵を行う。次に、脱臭フィルタ２５ｂに担持された二酸化チタン等の光触媒が、光触媒光源３１が発生する光の照射を受けて活性化され、脱臭フィルタ２５ｂに捕捉された排ガス、タバコ等の臭気物質を分解する。したがって、光触媒光源３１は、フィルタ１４を集塵フィルタ２５ａと共に構成する脱臭フィルタ２５ｂのフィルタ面の全面に光を照射できる位置に設けることが望ましい。つまり、フィルタ１４のプリーツの折目を横切る方向に直管状の光触媒光源３１を設けることが望ましい。また、光触媒光源３１は、フィルタ１４のフィルタ面の中央・端部いずれの場所に設けてもよいが、空気流れ６０ｃを阻害させないフィルタ面の端部の隅部分に設けることが望ましい。また、図１では、直管状の光触媒光源３１が１本のみ記載されているが、直管状の光触媒光源３１を２本以上設けてもよい。また、光触媒光源３１が発生する光を脱臭フィルタ２５ｂへ効率よく照射するために光触媒光源３１の下流側に反射鏡を設けてもよい。なお、光触媒光源３１としてキセノンランプ、ブラックライト等の紫外線ランプや、紫外線ＬＥＤ等の紫外線を発生する光源を用いてもよい。このとき、光触媒光源３１としての紫外線ランプの形状は、直管状が望ましいが、リング状、面状等の形状でもよい。また、光触媒光源３１として、複数の紫外線ＬＥＤを基板上に直線状、リング状、面状等の形状に配置したものを使用してもよい。
【００３０】
図２に、図１に示したＨＶＡＣユニット１００のフィルタ１４の取付け部の一形態を示した概略正面図を示す。本実施の形態に係る内外気送風ユニットは、本体ケース５１に設けたフィルタ挿入口１５と、フィルタ１４のフィルタ面を案内するための凸起部１９ａ、１９ｂ、１９ｃ及び１９ｄとを有する。フィルタ１４はフィルタ挿入口１５から空気通路１３に配置される。図２において、フィルタ１４は、本体ケース５１に設けたフィルタ挿入口１５からフィルタ１４の折目方向（図２の矢印方向）に挿脱することによって空気通路１３に着脱自在に配置することができる。図１に示すようにフィルタ１４を空気通路１３に配置した状態で、空気通路１３の気密性を確保するために、図２に示すフィルタ挿入口１５にはフィルタ挿入口１５を塞ぐ適当な蓋を設けるのが望ましい。このとき、フィルタ１４を空気通路１３に配置した状態で、フィルタ１４の折目方向のフィルタ側端部２１ｂは、本体ケース５１の一部を形成することとなる蓋の内面と略当接することとなる。
【００３１】
空気通路１３の内壁に設けられた凸起部１９ａ、１９ｂの側面は、フィルタ１４を空気通路１３に配置した状態のとき、フィルタ面と略接することが望ましい。したがって、フィルタ１４の抜き挿し時に凸起部１９ａ、１９ｂの側面とフィルタ面とが略接してフィルタ面を案内することとなる。特に、フィルタ１４の挿入終了直前に凸起部１９ａ、１９ｂがフィルタ面を案内することによって、フィルタ１４をぐらつかせることなく装着することができる。
【００３２】
また、図２において、他方のフィルタ側端部２１ｂに略当接する空気通路１３の内壁にも、フィルタ１４の空気通路１３への抜き挿し時に、フィルタ面に略接するように凸起部１９ｃ、１９ｄを設けることが望ましい。図２では、凸起部１９ｃ、１９ｄは、本体ケース５１に設けられているが、フィルタ挿入口１５を塞ぐ上記蓋の内面に凸起部１９ｃ、１９ｄと同形状の凸起部を設けた形態としてもよい。この場合、蓋に設けた凸起部の側面は、フィルタ１４を空気通路１３に配置し、蓋によってフィルタ挿入口１５を塞いだときに、フィルタ面と略接することとなる。
【００３３】
図２に示すように、凸起部１９ｃ、１９ｄを本体ケース５１に設けた場合、フィルタ１４の空気通路１３への抜き挿し時に、凸起部１９ｃ、１９ｄがフィルタ面と略接するため、フィルタ面を案内する。この場合、フィルタ１４の抜き挿し時に、凸起部１９ｃ、１９ｄがフィルタ面を案内することによって、フィルタ１４の挿脱方向が決定されるため、スムーズにフィルタ１４を挿脱することができる。
【００３４】
凸起部を上記蓋の内面に設けた場合、フィルタ１４を空気通路１３に配置し、フィルタ挿入口１５を上記蓋によって塞ぐときにフィルタ１４のフィルタ面と上記蓋の内面に設けられた上記凸起部とが接し、フィルタ１４のぐらつきを防止することができる。
【００３５】
空気通路１３の内壁に凸起部１９ａを設けることによって、凸起部１９ａがフィルタ側端部２１ａと上記内壁との間にできる隙間をなくし、空気流れ６０ｂがフィルタ１４から漏れるのを防止することができる。このとき、空気流れ６０ｂのフィルタからの漏れを最大限に減らすためには、凸起部１９ａは、フィルタ側端部２１ａの長さと略同じ長さを持つリブ状とすることが望ましい。また、空気流れ６０ｂの流れを阻害させないため、空気流れ６０ｂを受ける凸起部１９ａの側面を空気通路１３の内壁から連続する曲面として立ち上げることが望ましい。一方、凸起部１９ｂを設けることによって、フィルタ１４が空気流れ６０ｂを受けたときに、凸起部１９ｂがフィルタ１４を支持し、フィルタ１４の変形を防止することができる。凸起部１９ｂは、フィルタ側端部２１ａの長さと略同じ長さを持つリブ状とすることが望ましいが、一連のリブ状とはせずにプリーツの折目と折目との間隔より大きい長さを持つリブ状の凸起部１９ｂに分断してもよい。また、凸起部１９ａ、１９ｂは、空気流れ６０ｂ方向におけるフィルタ１４の固定とフィルタ１４の挿脱時の案内ができる程度にそのリブ高さを高くする必要があるが、空気流れ６０ｂを阻害させないように、そのリブ高さをなるべく低くしたほうがよい。なお、凸起部１９ｃ、１９ｄの構成及び効果については、凸起部１９ａ、１９ｂと同様である。
【００３６】
また、フィルタ面の案内、特にフィルタ１４の挿脱をより容易にするために、凸起部１９ａ、１９ｂがフィルタ面と接する部分に適当な面取りを行ってもよい。また、フィルタ挿入口１５の外縁に適当な面取りを行ってもよい。  
【００３７】
次に、フィルタ１４の固定について説明する。図１に示すように本実施の形態に係る内外気送風ユニットは、フィルタ１４を本体ケース５１に固定するための係止手段２６ａ、２６ｂを有する。フィルタ１４の折曲側端部２２ｂに略当接する空気通路１３の内壁に設けた係止手段２６ｂが、フィルタ１４のプリーツの折曲方向のフィルタ１４の折曲側端部２２ｂを固定することにより、フィルタ１４は本体ケース５１に固定される。同様に、折曲側端部２２ａに略当接する空気通路１３の内壁に設けた係止手段２６ａは折曲側端部２２ａを固定する。
【００３８】
図３は、図１に示した係止手段２６ｂの一形態を示した部分拡大断面概略図である。係止手段２６ｂは、図３に示すようにフィルタ１４の折曲側端部２２ｂに略当接する空気通路１３の内壁から突き出たツメ１７ｂと、フィルタ１４を押さえるため上記内壁上でツメ１７ｂと対向し、フィルタ１４の折目２３に略当接する位置に設けた保持部１８ｂとからなる。ツメ１７ｂは鉤状とすることが好ましく、折曲側端部２２ｂがフィルタ１４のプリーツの折曲方向に外れるのを防止する。このとき、図３に示すようにフィルタ１４の折曲角度に合わせてツメ１７ｂの鉤の先端部を斜めに形成してもよい。ツメ１７ｂと保持部１８ｂとの設置間隔をフィルタ１４のプリーツの幅に合わせることが望ましい。このとき、保持部１８ｂによって、折曲側端部２２ｂが空気流れ６０ｂの上流方向に移動することによりツメ１７ｂから外れることを防止する。さらに、折曲側端部２２ｂは、ツメ１７ｂと保持部１８ｂとの間にスライドさせることによって抜き挿し自在とすることができ、挿し込んだときには、ツメ１７ｂと保持部１８ｂとによって固定される。なお、フィルタ１４の抜き挿し方向は、フィルタ１４の折目方向、つまり図３の図面に対し垂直方向である。
【００３９】
ツメ１７ｂは、フィルタ１４の折目方向に平行に、折曲側端部２２ｂの長さと略同じ幅を持つ幅広形状とすることが望ましいが、前述の凸起部（図２）によってフィルタ１４のフィルタ面が空気流れ方向に対して固定される場合は、フィルタ１４の折曲側端部２２ｂの長さよりも幅が狭いツメ１７ｂを複数設けた形態としてもよい。保持部１８ｂは、空気通路１３の内壁から凸起したリブ形状とすることが望ましい。また、保持部１８ｂについては、ツメ１７ｂと平行を保つように、フィルタ１４の折曲側端部２２ｂの長さと略同じ幅を持つ幅広形状とすることが望ましいが、前述の凸起部（図２）によってフィルタ１４のフィルタ面が空気流れ方向に対して固定される場合は、折曲側端部２２ｂの長さよりも幅の狭い保持部１８ｂをツメ１７ｂと平行を保った上で複数設けた形態としてもよい。また、空気流れ６０ｂの流れを阻害させないため、空気流れ６０ｂを受ける保持部１８ｂの側面を空気通路１３の内壁から連続する曲面として立ち上げることが望ましい。
【００４０】
また、図１において、他方の折曲側端部２２ａに略当接する空気通路１３の内壁に設けた係止手段２６ａについても係止手段２６ｂと同様である。
【００４１】
上記係止手段２６ａ、２６ｂにより、フィルタ１４を保持するフィルタ枠が不要となる。フィルタ枠がなくても着脱に伴って折曲側端部２２ａ、２２ｂを抜き挿し自在に固定することができ、フィルタ１４を空気通路１３に容易に着脱自在に配置できる。さらに、フィルタ枠を必要としないことから、フィルタ枠による通気抵抗の増加がなくなりファン４３への負担を減らし、省エネにつながる。また、フィルタ１４のプリーツが、プリーツの折曲方向に動きうるので、フィルタ面上のプリーツの折曲方向の空気流れ６０ｂの流速分布に応じてプリーツ間隔が変化し、プリーツの折曲方向での空気流れ６０ｃの流速分布を均一化させる。
【００４２】
また、本実施の形態に係る内外気送風ユニットのフィルタ１４は、フィルタ１４を折り畳んで、折曲側端部２２ａ、２２ｂを肉厚部としてもよい。図４は、図１に示すＨＶＡＣユニット１００において使用するフィルタ１４の別形態を示した概略斜視図である。肉厚部２４ａ、２４ｂは、２ないし３枚程度のプリーツを折り畳んで固定して形成したものである。固定方法としては、折り畳んだ状態でプレスして押し固めてもよいし、単にホチキス等の金具止めでもよい。肉厚部２４ａ、２４ｂを形成することによって折曲側端部２２ａ、２２ｂを強固にすることができる。そして、肉厚部２４ａ、２４ｂが係止手段２６ａ、２６ｂによって、より強固に係止される。
【００４３】
ここで、本実施の形態のフィルタの挿脱手順について図１、図２、図３及び図５を参照して説明する。図５は、図１に示すＨＶＡＣユニット１００において使用するフィルタの一形態を示した概略斜視図である。まず、図５（ｂ）に示すように運送時に折り畳まれたフィルタ１４を図５（ａ）に示すようにフィルタ１４のプリーツの折曲方向に引き伸ばす。引き伸ばしたフィルタ１４を折目２３と平行に図２に示すフィルタ挿入口１５から挿入し、空気通路１３に配置する。このとき、折曲側端部２２ｂを図３に示すツメ１７ｂと保持部１８ｂとの間に挿し込み、さらにスライドさせるようにして挿入する。また、このとき、図２に示す凸起部１９ｃ、１９ｄがフィルタ１４のフィルタ面を案内する。折曲側端部２２ａに対しても係止手段２６ａで固定するに際して、折曲側端部２２ｂと同様の操作を同時に行う。これにより、フィルタ１４を挿入して空気通路１３に配置した状態で、折曲側端部２２ａ、２２ｂは空気通路１３の内壁に固定される。フィルタ１４を空気通路１３に配置した後、フィルタ挿入口１５を適当な蓋（不図示）によって塞ぐ。  
【００４４】
次に、フィルタ１４を空気通路１３から取出す手順を説明する。まず、フィルタ挿入口１５を塞いでいる不図示の蓋を取り除く。次に、フィルタ挿入口１５からフィルタ１４を取出す。このとき、ツメ１７ｂと保持部１８ｂとの間に固定された折曲側端部２２ｂがツメ１７ｂと保持部１８ｂとの間をスライドするようにしてフィルタ１４が取出される。折曲側端部２２ａに対しても係止手段２６ａからはずす際に、折曲側端部２２ｂと同様の操作を同時に行う。
【００４５】
図６は、車両用空調装置のＨＶＡＣユニットの構成の第二形態を示す概略図である。図６のＨＶＡＣユニット２００で示すように、フィルタ１４をファン４３の上流側に配置させてもよい。このとき、不図示のエバポレータはファン４３の下流側に配置されている。なお、ＨＶＡＣユニット２００の構成は、フィルタ１４をファン４３の上流側に配置すること以外は、図１に示すＨＶＡＣユニット１００の構成と同様である。 
【産業上の利用可能性】
【００４６】
本発明は、車両用空調装置に限らず、室内用の空調装置の内外気送風ユニットとしても利用することができる。
【図面の簡単な説明】
【００４７】
【図１】車両用空調装置のＨＶＡＣユニットの構成の一形態を示す概略図である。
【図２】図１に示したＨＶＡＣユニットのフィルタの取付け部の一形態を示した概略正面図を示す。
【図３】図１に示した係止手段の一形態を示した部分拡大断面概略図である。
【図４】図１に示すＨＶＡＣユニットにおいて使用するフィルタの別形態を示した概略斜視図である。
【図５】図１に示すＨＶＡＣユニットにおいて使用するフィルタの一形態を示した概略斜視図で、（ａ）は引き伸ばした状態のフィルタを示し、（ｂ）は折り畳んだ状態のフィルタを示す。
【図６】車両用空調装置のＨＶＡＣユニットの構成の第二形態を示す概略図である。
【符号の説明】
【００４８】
１３  空気通路
１４  フィルタ
１５  フィルタ挿入口
１７ｂ  ツメ
１８ｂ  保持部
１９ａ、１９ｂ、１９ｃ、１９ｄ  凸起部
２１ａ、２１ｂ  フィルタ側端部
２２ａ、２２ｂ  折曲側端部
２３  フィルタの折目
２４ａ、２４ｂ  肉厚部
２５ａ  集塵フィルタ
２５ｂ  脱臭フィルタ
２６ａ、２６ｂ  係止手段
３１  光触媒光源
４０  空気吸気口
４１  外気導入口
４２  内気導入口
４３  ファン
４４  エバポレータ
４５  インテークドア
４７  ブロアモータ
５１  本体ケース
６０ａ、６０ｂ、６０ｃ、６０ｄ  空気流れ
１００、２００  ＨＶＡＣユニット
【図１】
2005088805.tif 000003
【図２】
2005088805.tif 000004
【図３】
2005088805.tif 000005
【図４】
2005088805.tif 000006
【図５】
2005088805.tif 000007
【図６】
2005088805.tif 000008